(57)【要約】【課題】フィット性およびサポート性の優れた性能を発揮する靴を提供する。【解決手段】靴本体をベルトにより足にフィットさせる靴であって、足の内側における舟状骨９１および／または内側楔状骨９２の下方の位置において、靴本体に固着された第１ベルト５１と、足の外側における第５中足骨遠位骨頭９３を覆う位置５８において、前記靴本体に固着された第２ベルト５２とを備えている。前記一対のベルト５１，５２は、舟状骨９１の上方ないしその近傍において互いに交差しており、第１ベルト５１は、舟状骨９１および／または内側楔状骨９２の下方から舟状骨９１の上方ないしその近傍を通って足の外側の踝の上方または下方に至る経路に沿って張設可能であり、第２ベルト５２は、第５中足骨遠位骨頭９３を覆う位置５９から舟状骨９１の上方ないしその近傍を通って足の内側の踝の上方または下方に至る経路に沿って張設可能である。【選択図】        図２
2005152490.tif 000002
【特許請求の範囲】
【請求項１】
靴本体をベルトにより足にフィットさせる靴であって、
足の内側における舟状骨および／または内側楔状骨の下方の第１接合位置において、靴本体に固着された第１ベルトと、
足の外側における第５中足骨遠位骨頭を覆う第２接合位置において、前記靴本体に固着された第２ベルトと、を備え、
前記一対のベルトは、舟状骨の上方ないしその近傍の交差位置において互いにＸ字状に交差しており、
前記第１ベルトは、前記舟状骨および／または内側楔状骨の下方から前記舟状骨の上方ないしその近傍を通って足の外側の踝の上方または下方に至る経路に沿って張設可能であり、
前記第２ベルトは、前記第５中足骨遠位骨頭を覆う位置から前記舟状骨の上方ないしその近傍を通って足の内側の踝の上方または下方に至る経路に沿って張設可能である靴。
【請求項２】
請求項１において、前記第１接合位置から前記交差位置に近づくに従い、前記第１ベルトは帯幅が概ね徐々に狭くなっており、
前記第２接合位置から前記交差位置に近づくに従い、前記第２ベルトは帯幅が概ね徐々に狭くなっている靴。
【請求項３】
請求項１において、足の甲を包むインナーアッパーと、前記インナーアッパーおよび前記一対のベルトを包むアウターアッパーとを更に備えた靴。
【請求項４】
請求項３において、前記インナーアッパーには足の外側の踝の近傍に第１スリットが形成されており、
前記インナーアッパーには足の内側の踝の近傍に第２スリットが形成されており、
前記第１ベルトは前記交差位置から前記足の外側の踝の上方または下方に至る経路において、二重でループ状に形成された第１二重部を有し、
前記第２ベルトは前記交差位置から前記足の内側の踝の上方または下方に至る経路において、二重でループ状に形成された第２二重部を有し、
前記第１二重部における裏面側のベルト部が前記第１スリットを貫通しており、
前記第２二重部における裏面側のベルト部が前記第２スリットを貫通している靴。
【請求項５】
請求項３において、前記第１ベルトの端部が前記外側の踝の近傍で前記インナーアッパーに接離可能に接合され、
前記第２ベルトの端部が前記内側の踝の近傍で前記インナーアッパーに接離可能に接合されている靴。
【請求項６】
請求項５において、前記２つの端部を覆う覆部が設けられている靴。
【請求項７】
請求項６において、前記覆部は、足首のまわりで前記インナーアッパーに接合されて足首を締め付ける第３および第４ベルトで構成されている靴。
【請求項８】
請求項６において、前記インナーアッパーは下方に折り返された折返部を更に備え、前記折返部が前記覆部を構成している靴。
【発明の詳細な説明】
【技術分野】
【０００１】
本発明はフィット性を改良した靴に関するものである。
【背景技術】
【０００２】
レスリング用シューズやテニスシューズなどでは、インナーアッパーをアウターアッパーで覆っているものが知られている。
この種のシューズでは、インナーアッパーの足に対する締付を容易にする必要がある。一方、前述のような競技では足の内外への動きが多いので、靴を足にフィットさせると共に、靴内で足のズレが生じないようにサポートすべきである。
アッパーを足に対して締め付ける方法としては、足の内外でベルトを締める方法があり、例えば、下記の特許文献の靴が知られている。
【０００３】
【特許文献１】実開平２−３３６１１号公報（第８図、第９図）
【特許文献２】特開２００１−１１２５１０号公報（要約）
【特許文献３】特開平８−１３１２０１号公報（図１）
【０００４】
前記特許文献１の靴では、ベルトは、足の内外の踏まず部付近において、引き上げられている。かかるベルトでは、足の内外の踏まず部付近をサポートするが、足の第５中足骨遠位骨頭付近をサポートできない。
【０００５】
前記特許文献２の靴では、ベルトは、足の内外の中足骨骨頭付近において、引き上げられている。かかるベルトでは、足の内側の母指球の動きが妨げられる上、足の内側が靴にフィットしない。
【０００６】
前記特許文献３の靴では、靴のひもやベルトを何度も折り返した後に足首付近で締めている。かかるひもやベルトは、着用後、伸びが生じるので、十分なフィット性が得られない。更に、インナーアッパーをアウターアッパーで覆った靴には使用できない。
【発明の開示】
【発明が解決しようとする課題】
【０００７】
したがって、本発明の目的は、２本のベルトで靴を締め付ける構造を持つ靴において、フィット性およびサポート性の双方について優れた性能を発揮する靴を提供することである。
【課題を解決するための手段】
【０００８】
足をサポートする場合に、足の内外をサポートすべき部分は異なる。すなわち、足の内側では、足の内側全体が靴に対して内側にずれるのを防止すべきである。したがって、足の内側では、中足部を中心にして足をサポートすべきである。また、このように中足部を中心に締め付けることで、母指球や第１指の動きを妨げることもない。
【０００９】
一方、足の外側では、特に横方向の動きに対して足の第５中足骨遠位骨頭の近傍が最もズレやすいので、足の外側全体よりも第５中足骨遠位骨頭を覆う部分が靴に対して外側にズレるのを防止すべきである。したがって、足の外側では、中足部（足の前後の中間）ではなく、足の第５中足骨遠位骨頭を覆う部分を外側からサポートすべきである。
【００１０】
すなわち、本発明の靴は、靴本体（アッパーおよび／またはソール）をベルトにより足にフィットさせる靴であって、足の内側における舟状骨および／または内側楔状骨の下方の第１接合位置において、靴本体に固着された第１ベルトと、足の外側における第５中足骨遠位骨頭を覆う第２接合位置において、前記靴本体に固着された第２ベルトと、を備え、前記一対のベルトは、舟状骨の上方ないしその近傍の交差位置において互いにＸ字状に交差しており、前記第１ベルトは、前記舟状骨および／または内側楔状骨の下方から前記舟状骨の上方ないしその近傍を通って足の外側の踝の上方または下方に至る経路に沿って張設可能であり、前記第２ベルトは、前記第５中足骨遠位骨頭を覆う位置から前記舟状骨の上方ないしその近傍を通って足の内側の踝の上方または下方に至る経路に沿って張設可能である。
【発明の効果】
【００１１】
第１ベルトは、インナアッパーおよび靴底を、足の内側の踏まず部（足の内側の中足部）に押し付ける。これにより、靴底が足の内側にフィットすると共に、足の内側がサポートされる。しかも、母指球や第１指の動作は妨げられない。
【００１２】
一方、第２ベルトは、インナーアッパーおよび靴底を、足の外側の第５中足骨遠位骨頭を覆う位置において引き上げて、足に押し付けているので、足の第５中足骨遠位骨頭を覆う部分がサポートされる。
【００１３】
しかも、足のまわりにベルトを複数回折り返したり、巻き付けることなく、足の内外を各々１本のベルトで足首に向って引き付けるので、ベルトの緩みも生じにくい。
【００１４】
本発明においては、前記第１ベルトおよび第２ベルトの帯幅が、各ベルトの接合位置から交差位置に近づくにつれて、概ね徐々に狭くなるのが好ましい。
これにより、接合位置において、帯幅の広いベルトによる足への締付力が分散され、足の痛みを防止することができる。また、足首の前方の狭い空間である交差位置において帯幅の狭いベルトが容易に交差することができる。
【００１５】
なお、「帯幅が概ね徐々に狭くなる」とは、少なくとも各ベルトの接合位置における帯幅よりも交差位置における帯幅が小さいことをいい、各ベルトの接合位置から交差位置に至る全ての部分において帯幅が徐々に狭くなっている場合のほか、例えば、ベルトの一部の帯幅が徐々に狭くなっており、他の部分の帯幅が一定に形成されている場合を含む。
【００１６】
本発明の靴は、紐締めを使用しない場合や、足の甲を包むインナーアッパーと、少なくとも前記インナーアッパーおよび前記一対のベルトの一部を包むアウターアッパーとを更に備えている場合に、特に有用である。すなわち、インナーアッパーをアウターアッパーで覆った場合には、紐締めをするのは困難であるため、前記のベルトを採用することにより、足を靴に容易にフィットさせることができる。なお、紐締めを使用した靴であっても、本発明を用いることにより、フィット性とサポート性に優れたものとなる。
【発明を実施するための最良の形態】
【００１７】
本発明の好適な態様においては、前記インナーアッパーには足の外側の踝の近傍に第１スリットが形成されており、前記インナーアッパーには足の内側の踝の近傍に第２スリットが形成されており、前記第１ベルトは前記交差位置から前記足の外側の踝の上方または下方に至る経路において、二重でループ状に形成された第１二重部を有し、前記第２ベルトは前記交差位置から前記足の内側の踝の上方または下方に至る経路において、二重でループ状に形成された第２二重部を有し、前記第１二重部における裏面側のベルト部が前記第１スリットを貫通しており、前記第２二重部における裏面側のベルト部が前記第２スリットを貫通している。
【００１８】
これにより、ループ状の各ベルトの二重部が各スリットに貫通して、ベルトのループ部分がスリットに係合しているので、足を靴内に挿入した後、ベルトを接合するまでの間に、各ベルトが靴内の奥に入り込むのを防止できる。
【実施例１】
【００１９】
以下、本発明の実施例を図面にしたがって説明する。
図１〜図７は第１実施例のレスリング用シューズを示す。図１〜図５は右足用の靴、図６および図７は左足用の靴を示す。
【００２０】
図１に示すように、本実施例の靴は、インナーアッパー３、第１ベルト５１および第２ベルト５２を備える。前記第１および第２ベルト５１，５２はインナーアッパー３の一部を覆うと共に、互いにＸ字状に交差している。本実施例の靴は、二点鎖線で示すアウターアッパー４（図５）がインナーアッパー３の一部および前記第１および第２ベルト５１，５２の一部を、足首よりも前方の部分において覆っている。
【００２１】
図１〜図４においては、インナーアッパー３や各ベルト５１，５２等の構成を明瞭に示すため、アウターアッパーを取り除いた状態を示す。また、図１は前記第１および第２ベルト５１，５２を緩めた状態を示すが、図２〜図４は両ベルト５１，５２を締めた状態を示す。各図において矢印１０は足の外側、矢印１１は足の内側を示す。
【００２２】
まず、前記第１ベルト５１および第２ベルト５２について、説明する。
図１の前記第１ベルト５１は、足の内側から足首の前方を回り込むようにして、足の外側の後方に向って延びている。該第１ベルト５１は、足の内側では、図３の舟状骨９１および内側楔状骨９２の下方の位置、つまり、第１接合位置５８において、インナーアッパー３の側面およびソールＳに固着されている。この第１接合位置５８は、足の内側の踏まず部に対応する位置である。該第１ベルト５１は、足首の前方では、図２に示すように、舟状骨９１および内側楔状骨９２の上方を通っている。該第１ベルト５１の端部５１ａは、図４の足の外側の踝の上方において、インナーアッパー３に接合される。
【００２３】
前記第２ベルト５２は、図１に示すように、足の外側から足首の前方を回り込むようにして、足の内側の後方に向ってに延びている。該第２ベルト５２は、足の外側では、図４の第５中足骨遠位骨頭９３を覆う位置、つまり、第２接合位置５９において、インナーアッパー３の側面およびソールＳに固着されている。該第２ベルト５２は、足首の前方では、図２の舟状骨９１および内側楔状骨９２の上方を通っている。該第２ベルト５２の端部５２ａは、図３の足の内側の踝の上方において、インナーアッパー３に接合される。
前記第１および第２ベルト５１，５２は、踝の両側の下方に接合させてもよい。
【００２４】
図２に示すように、前記第１および第２ベルト５１，５２は、舟状骨９１の上方ないしその近傍の交差位置５７において、互いにＸ字状に交差して、かつ、この交差位置５７において一方のベルト５１（５２）が他方のベルト５２（５１）の上に重なっている。
【００２５】
前記第１および第２ベルト５１，５２は、前記各接合位置５８，５９（図３、図４）から交差位置５７に近づくに従って、帯幅が概ね徐々に狭くなっている。一方、各ベルト５１，５２の交差位置５７から前記端部５１ａ，５２ａまでの間の帯幅はほぼ一定に設定されている。
【００２６】
図１の前記第１および第２ベルト５１，５２の端部５１ａ，５２ａには、それぞれ、第１雄面ファスナ７１、第２雄面ファスナ７２が設けられている。
【００２７】
また、前記第１ベルト５１は、前記交差位置５７と端部５１ａとの間で、二重でループ状に形成された第１二重部５５を有する。第１二重部５５は、表側ベルト部５５ａと裏側ベルト部５５ｂに分かれている。
同様に、前記第２ベルト５２は、前記交差位置５７と端部５２ａとの間で、第２二重部５６を有する。第２二重部５５は、表側ベルト部５６ａと裏側ベルト部５６ｂに分かれている。
【００２８】
次に、インナーアッパー３について説明する。
インナーアッパー３は、足の甲を覆う甲部３２と、足の踝を覆う踝部３３とを有する。両部３２，３３は足の踝の後方において互いに縫合されて接合されている。
【００２９】
図１に示すように、前記踝部３３の足の外側には、第１スリット６１が形成され、内側には第２スリット６２が形成されている。第１スリット６１には前記第１二重部５５の裏側ベルト部５５ｂが貫通し、第２スリットには前記第２二重部５６の裏側ベルト部５６ｂが貫通している。
【００３０】
図２の前記踝部３３の側面には、第１雌面ファスナ８１および第２雌面ファスナ８２が設けられている。第１雌面ファスナ８１には、前記第１ベルト５１の第１雄面ファスナ７１を接離可能に接合することができる。同様に、第２雌面ファスナ８２には、前記第２ベルト５２の第１雄面ファスナ７２を接離可能に接合することができる。
これにより、第１および第２ベルト５１，５２の端部５１ａ，５２ａをインナーアッパー３の踝部３３に接合することができる。
【００３１】
次に、アウターアッパー４について説明する。
図５に示すように、アウターアッパー４は、ソールＳおよびインナーアッパー３の甲部３２に固定されている。該アウターアッパー４は、前記インナーアッパー３の甲部３２、ならびに、前記第１および第２ベルト５１，５２（図示せず）の一部を覆うように設けられている。かかるアウターアッパー４を設けることにより、レスリングの競技中に、相手の手がベルトに触れたり、係合したりすることがなくなる。
【００３２】
なお、前記アウターアッパー４およびインナーアッパー３は、前記交差位置５７の近傍において、連結されており、この連結された部分が図７（ｂ）の帯状のループ３４を構成している。
【００３３】
図２に示すように、本実施例の靴は、第３ベルト５３および第４ベルト５４を有する。両ベルト５３，５４は、前記インナーアッパー３の後足部に縫合されて固定されている。第３ベルト５３は前記第２雌面ファスナ８２の略全面を覆うように設けられており、第４ベルト５４は前記第１雌面ファスナ８１の略全面を覆うように設けられている。
【００３４】
第３ベルト５３の端部５３ａには第３雄面ファスナ７３が設けられている。第４ベルト５４の端部５４ａには第４雄面ファスナ７４が設けられている。前記第４ベルト５４には第３スリット６３が形成されており、該第３スリットには第３ベルト５３が貫通する（図５）。
【００３５】
着用時には、前記両ベルト５３，５４は、互いに重なり合うようにして、足首の周囲に巻き付けられる。これにより、前記第１および第２ベルト５１，５２の端部５１ａ，５２ａを覆う覆部を構成する。両ベルト５３，５４は、前記各雄面ファスナ７３，７４を雌面ファスナ８３（図５）に接合して、足首のまわりに固定される。
前記覆部を設けることにより、レスリング等の競技中に、ベルトが邪魔にならない。
【００３６】
なお、第３ベルト５３は、前記第３スリット６３に貫通させる前に、図７（ｂ）の前記ループ３４に挿通される。これにより、着用時にインナーアッパー３を引き上げて、靴を履き易くできると共に、インナーアッパー３が靴の内側に入り込むのを防止する。
【００３７】
次に、本実施例の靴の着用方法について説明する。図６および図７は、靴の着用方法を示す。
まず、図６（ａ）のように、全てのベルト５１，５２，５３，５４を緩める。次に、図６（ｂ）のループ３４を前方に引っ張り、インナーアッパー３の甲部３２を引き上げて、靴の履口を開きながら、足を靴に挿入する。
【００３８】
その後、図６（ｃ）のように、第１ベルト５１を引き上げて、端部５１ａを踝の外側の上方に固定する。次に、図７（ａ）の第２ベルト５２を引き上げて、端部５２ａを踝の内側の上方に固定する。これにより、ソールＳを足裏にフィットさせると共に、インナーアッパー３（図示せず）を足の甲に締め付ける。
この際、図３および図４の雌面ファスナ８１，８２は踝の内外の比較的広い範囲に設けられているので、着用者の足に合わせて、前記端部５１ａ，５２ａの固定位置を調整することができる。
【００３９】
次に、図７（ｂ）の第３ベルト５３をループ３４に挿通させる。その後、図７（ｃ）の第３ベルト５３を第４ベルトの第３スリット６３に挿通させる。その後、第３ベルトおよび第４ベルト５３，５４を引っ張って、端部５３ａ，５４ａを踝の内外に固定する。これにより、第３および第４ベルト５３，５４が前記第１および第２ベルト５１，５２の端部５１ａ，５２ａを覆うと共に、インナーアッパー３を足首のまわりに締め付ける。
以上のようにして、本実施例の靴を着用する。
【実施例２】
【００４０】
図８および図９は実施例２の靴（左足）を示す。なお、実施例２においては、実施例１と同一部分または相当部分には同一符号を付して、その詳しい説明および図示を省略する。
【００４１】
図８に示すように、本実施例の靴では、インナーアッパー３が踝の上方にまで延びて、概ね筒状の折返部３５を形成している。該折返部３５は足首の前方で内外に２分割されている。折返部３５は伸縮性を有する柔軟な部材からなり、容易に折り曲げ可能である。
【００４２】
着用時には、折返部３５から足を靴内に挿入した後、第１および第２ベルト５１，５２を締めた後、折返部３５を折り返す。これにより、図９に示すように、折返部３５が前記両ベルト５１，５２の端部５１ａ，５２ａを覆う。
【産業上の利用可能性】
【００４３】
本発明は、レスリング用のシューズやテニスシューズの他、種々の靴に利用することができる。また、特に、紐締めを使用しない靴やインナーアッパーとアウターアッパーを有する靴に有用である。
【図面の簡単な説明】
【００４４】
【図１】本発明の実施例１にかかる靴の平面図である。
【図２】足の骨を重ねて示す靴の平面図である。
【図３】同内側面を示す側面図である。
【図４】同外側面を示す側面図である。
【図５】アウターアッパーを取り付けた状態の靴の外側面を示す側面図である。
【図６】（ａ）〜（ｃ）は靴の着用方法を示す斜視図である。
【図７】（ａ）〜（ｃ）は靴の着用方法を示す斜視図である。
【図８】本発明の実施例２にかかる靴の斜視図である。
【図９】折返部を折り返した靴の斜視図である。
【符号の説明】
【００４５】
３：インナーアッパー
３５：折返部
４：アウターアッパー
５１：第１ベルト
５１ａ：端部
５２：第２ベルト
５２ａ：端部
５３：第３ベルト
５４：第４ベルト
５５：第１二重部
５６：第２二重部
５７：交差位置
５８：第１接合位置
５９：第２接合位置
６１：第１スリット
６２：第２スリット
９１：舟状骨
９２：内側楔状骨
９３：第５中足骨遠位骨頭
７２Ｂ，７２Ｃ：ハトメ飾り部
Ｓ：ソール
【図１】
2005152490.tif 000003
【図２】
2005152490.tif 000004
【図３】
2005152490.tif 000005
【図４】
2005152490.tif 000006
【図５】
2005152490.tif 000007
【図６】
2005152490.tif 000008
【図７】
2005152490.tif 000009
【図８】
2005152490.tif 000010
【図９】
2005152490.tif 000011